(57)【要約】      （修正有）【課題】特許公報を活用して技術的課題発見及び課題解決を系統的に行う発明発想支援システム及び方法を提供する。【解決手段】特許公報に記載される発明実施例の構成（ｋ１）について複数回の上位概念化を行って発明概念構成（Ｋ１、Ｋ２、Ｋ３、Ｋ４、・・・Ｋｎ、Ｋｎ＋１）をそれぞれ得る。発明の実施例の構成及び発明概念構成に基づいて発明知識空間を形成する。発明知識空間の形成を通して得た関連知識を活用して概念的技術アイデアを考案する。技術的課題であるこの技術アイデアを発明目標として発明実施例の構成及び発明概念構成に基づいて目標発明の構成をより具体化し完成させるための発明の必須要素を構成する。【選択図】図１
2016018551.tif 000002
【特許請求の範囲】
【請求項１】
表示器と
特許公報に含まれる発明実施例の構成及びこの発明実施例の構成について複数回上位概念化を行ってそれぞれ得た発明概念構成を入力し上記表示器に表示する入力表示手段と、
上記発明実施例の構成及び発明概念構成に基づいて発想される技術アイデアを目標発明として設定し上記表示器に表示する目標発明設定表示手段と、
上記入力表示手段が表示する発明実施例の構成又は発明概念構成に基づいて表示された上記目標発明の必須要素を構成し入力し上記表示器に表示する目標発明構成入力表示手段を具備することを特徴とする技術的課題発見及び課題解決支援システム。
【請求項２】
請求項１に記載される技術的課題発見及び課題解決支援システムにおいて、目標発明構成入力表示手段が定めた目標発明の必須構成要素を更に具体化し表示器に表示する実施例表示手段を更に備えていることを特徴とする技術的課題発見及び課題解決支援システム。
【請求項３】
請求項１に記載される技術的課題発見及び課題解決支援システムにおいて、技術的課題発見及び課題解決手順を表示器に表示する表示手段を更に備えていることを特徴とする技術的課題発見及び課題解決支援システム。
【請求項４】
請求項１に記載される技術的課題発見及び課題解決支援システムにおいて、発明実施例の構成についての複数回の上位概念化を支援するための表示を行う表示手段を更に備えていることを特徴とする技術的課題発見及び課題解決支援システム。
【請求項５】
特許公報に含まれる発明実施例の構成及びこの発明実施例の構成について複数回の上位概念化を行ってそれぞれ得た発明概念構成を表示するステップと、
上記表示された発明実施例の構成及び発明概念構成に基づいて発想した技術アイデアを目標発明として入力し表示する入力表示ステップと、
上記発明実施例の構成又は発明概念構成に基づいて定められる上記目標発明の必須構成要素を表示するステップを具備することを特徴とする技術的課題発見及び課題解決支援方法。
【請求項６】
知られている装置又は技術の構成及びこの構成について複数回の上位概念化を行ってそれぞれ得た発明概念構成を表示するステップと、
上記装置又は技術の構成及び発明概念構成に基づいて発想した技術アイデアを表示するステップと、
上記装置若しくは技術の構成及び発明概念構成に基づいて上記技術アイデアを具体化して得られる発明の必須構成要素を表示するステップを具備することを特徴とする技術的課題発見及び課題解決支援方法。
【請求項７】
知られている装置又は技術の構成について複数回の上位概念化を行って得た発明概念構成に基づいて発想された上記装置又は技術の技術分野とは異なる分野の技術アイデアを表示するステップと、
上記発明概念構成に基づいて上記技術アイデアを具体化して得られる発明の必須構成要素を表示するステップを具備することを特徴とする技術的課題発見及び課題解決支援方法。
【請求項８】
関連知識を入力表示するステップと、
上記表示された関連知識に基づいて技術アイデアを発想し表示するステップと、
上記表示された関連知識に基づいて上記技術アイデアの必須構成要素を定めるステップを具備することを特徴とする技術的課題発見及び課題解決支援方法。
【発明の詳細な説明】
【技術分野】
【０００１】  この発明は、系統的に発明するための技術的課題発見及び課題解決支援システム及び方法に関する。この発明は、例えば特許公報に含まれる発明実施例の構成について特許の上位概念化を複数回行うことによって関連知識の習得や整理を行う。これらの知識を活用して技術的課題を発見しその課題を解決して発明することを支援する。以下、この発明を装置やシステムに適用した場合について説明する。
【背景技術】
【０００２】  問題解決には、問題を発見するステップと問題を解決するステップとが含まれている。技術的課題を解決して発明を創出する発明技法ＴＲＩＺが知られている。この発明技法は、アルトシュラーにより提唱された。多くの優れた特許発明がどのようなプロセスで生み出されたかを知るためにこれらの特許発明が分析された。ＴＲＩＺを考案するために膨大な件数の特許が分析された。しかし、これら多くの特許は、ＴＲＩＺ発明技法を考案するために用いられた。ＴＲＩＺは、解決すべき問題を五層に分類する。第１層は、個々人が持っている知識を使って解決される問題を含む。第２層は、それぞれの組織体が持っている知識を使って解決される問題を含む。第３層は、一の産業分野に属する文献や情報を使って解決される問題を含む。第４層に関する問題は、他の産業分野に属する知識を使って新コンセプトを創出して解決される。第５層は、原理的に新しいシステムの開発に関する。ＴＲＩＺは、第２、第３及び第４層の問題に効果的である。【０００３】  ＴＲＩＺは、技術的課題を解決するために既存の特に優れた多くの発明を分析し技術的課題解決方法を抽出体系化した発明技法を教示する。ＴＲＩＺは、提示される明確な一つの技術的課題を解決し、それにより発明創出することを特徴としている。【０００４】  また、技術的課題を解決する方法として、等価変換理論が知られている。この理論は、互いに異なる分野の技術の間に共通な機能や仕組みを見出すことが特徴である。等価方程式を用いて異分野の二つの技術を関係付け技術問題を解決する。先ず、明確な技術的課題に関する技術の機能的な本質を明らかにした後、適正な観点から、その課題の本質と同様な本質を有する他分野の問題及び既知の解決方法を見出し、その方法を新課題へ適応させて解決する。また、明確な技術的課題についてアナロジーを使って解決するＮＭ法が知られている。【０００５】  新事業分野や新技術分野に進出する場合等において数多くの技術アイデアや発明を考案することが求められることがある。また、十分な関連技術知識を有していない人が技術アイデアや発明を創出することを求められることがある。その際には、関連知識の習得及び技術アイデア発想等を効率的且つ効果的に行わなければならない。その目的を達成するための、簡便な方法が求められている。【０００６】  このような簡便な方法である発明創出支援システム及び方法が特許文献１に述べられている。この方法及びシステムは、第１及び第２の発明知識空間を使用する。第１の発明知識空間は、一特許公報に含まれている例えば装置に関する発明実施例の構成（ｋ１）及びその構成（ｋ１）を装置原型の構成（Ｋｎ）まで複数回上位概念化することにより得られる発明概念の構成に基づいて形成される。第１の発明知識空間を形成する過程において関連知識の習得、整理を行う。その後これらの知識を活用して発明発想を行っている。更に、装置原型の構成（Ｋｎ）について上位概念化を行って発明概念の構成（Ｋｎ＋１）を得る。装置原型の構成（Ｋｎ）及び発明概念の構成（Ｋｎ＋１）に基づいて第２の発明知識空間を形成する。その後発明発想を行っている。この方法を使用して発想された発明は、第２の発明知識空間内に位置��る。【０００７】  図６は、特許文献１に含まれ、実験結果を示す。この図６は、第１の発明知識空間を形成した後発想した技術アイデアや発明についての評価を示す。これらの技術アイデア等は、単に特許公報を読解した後発想した技術アイデアと比較して、独創性以外の他の評価項目、実用性、柔軟性、実現可能性、包括性及び洞察性について有意に優れた結果を得ている。【０００８】  図７は、非特許文献１に含まれ、第１の発明知識空間を形成した後発想した技術アイデアや発明についての評価方法を示す。発明の名称が「自動販売機」の特開２００８−２１０３４２号を使用し、大学院生１６名を実験参加者とする技術アイデア発想実験を行った。図７の発明知識空間の構成は、後述する図２の第１発明知識空間と同じである。第１発明知識空間を形成した後８名の実験参加者が発想した技術アイデアは、発明知識空間円筒外、円筒内で円錐外又は円筒内で円錐内のいずれかに位置する。円筒外に位置する技術アイデアや発明は新技術につながる可能性のあるものである。他方、円筒内に位置する技術アイデアや発明は改良的なものといえる。発想された３３個のアイデアの７３％が円筒外に、２１％が円筒内で円錐外に、６％が円錐内に位置する結果を得た。【０００９】  第１又は第２の発明知識空間を形成した後発想した技術アイデアや発明は技術内容が比較的抽象的又は機能的で概念レベルのものが多い。これらの概念的技術アイデアや発明は技術的課題を表しているものが少なくない。その概念的技術アイデアや発明を実用化するためには、その発明をより具体化して具体的な構成の発明を得ることやその発明の実施例の構成を考案することが必要である。しかし、特許文献１には概念的技術アイデアや概念的発明をより具体化することの必要性やその方法については触れられていない。【００１０】  なお、第１の発明知識空間を形成した後発想した発明は、特許公報の発明実施例の装置に関するものが多い。他方、第２の発明知識空間を形成した後発想した発明は、特許公報の発明実施例の装置に関係していなくて異なる技術分野のものが多い。
【先行技術文献】
【特許文献】
【００１１】
【特許文献１】特開２０１２−１１３７０３号公報
【非特許文献】
【非特許文献１】牧野逸夫、由井薗隆也、“特許知識を活用した技術アイデア発想法の評価―非特許専門家への効果と関連知識の影響―”、平成２６年２月１８日、日本創造学会論文誌  第１７号
【発明の概要】
【発明が解決しようとする課題】
【００１２】  新事業分野や新技術分野への進出が求められるようになってきている。新分野へ進出するときは、新商品や新技術を新たに開発し市場に提供することが有効な方法である。新商品等を新たに開発するときは、技術的課題の発見及び課題を解決することが求められる。発明技法ＴＲＩＺ、等価変換理論又はＮＭ法は技術的課題を解決することを目的としている。また、特許文献１で公開されている発明創出支援システム及び方法は、抽象的で機能的な技術内容の技術アイデアや発明の発想を支援する。これらの発想された技術アイデア等は技術的課題発見を内容とするものが多い。このように、技術的課題を解決するＴＲＩＺ等の発明技法が知られている。また、技術的課題の発見を支援する方法は特許文献１に見られる。これらのことから、技術的課題発見又は課題解決をそれぞれ個別的に行う方法は知られている。しかし、技術的課題発見及び課題解決を系統的に行うための支援システム及び方法は見当たらない。技術的課題発見及び課題解決を系統的に行うための方法及びシステムが求められている。以下、この発明を、第２発明知識空間形成後に発想された特許公報に記載されている装置や技術とは異なる技術分野の技術アイデアや概念的発明に適用する場合について説明する。
【課題を解決するための手段】
【００１３】  上記課題を解決するため、本発明は人類知的共有財産である多くの特許公報を活用して技術的課題発見及び課題解決を行って発明創出を系統的に行うための支援システム及び方法を提供する。【００１４】  この発明の第１の特徴は、表示器と、特許公報に含まれる発明実施例の構成及びこの発明実施例の構成について複数回上位概念化を行ってそれぞれ得た発明概念構成を入力し表示器に表示する入力表示手段と、発明実施例の構成及び発明概念構成に基づいて発想される技術アイデアを目標発明として設定し表示器に表示する目標発明設定表示手段と、入力表示手段が表示する発明実施例の構成又は発明概念構成に基づいて表示された目標発明の必須要素を構成し入力し表示器に表示する目標発明構成入力表示手段を具備することを特徴とする技術的課題発見及び課題解決支援システムを提供することである。【００１５】  この発明の第２の特徴は、第１の発明特徴の構成に加えて、目標発明構成入力表示手段が定めた目標発明の必須構成要素を更に具体化し表示器に表示する実施例表示手段を更に備える技術的課題発見及び課題解決支援システムを提供することである。【００１６】  この発明の第３の特徴は、第１の発明特徴の構成に加えて、技術的課題発見及び課題解決手順を表示する表示手段を備える技術的課題発見及び課題解決支援システムを提供することである。【００１７】  この発明の第４の特徴は、第１の発明特徴の構成に加えて、発明実施例の構成についての複数回の上位概念化を支援するための表示を行う表示手段を備えていることを特徴とする技術的課題発見及び課題解決支援システム。【００１８】  この発明の第５の特徴は、特許公報に含まれる発明実施例の構成及びこの発明実施例の構成について複数回の上位概念化を行ってそれぞれ得た発明概念構成を表示するステップと、表示された発明実施例の構成及び発明概念構成に基づいて発想した技術アイデアを目標発明として入力し表示する入力表示ステップと、発明実施例の構成又は発明概念構成に基づいて定められる上記目標発明の必須構成要素を表示するステップを備える技術的課題発見及び課題解決支援方法を提供することである。【００１９】  この発明の第６の特徴は、知られている装置又は技術の構成及びこの構成について複数回の上位概念化を行ってそれぞれ得た発明概念構成を表示するステップと、装置又は技術の構成及び発明概念構成に基づいて発想した技術アイデアを表示するステップと、装置若しくは技術の構成及び発明概念構成に基づいて技術アイデアを具体化して得られる発明の必須構成要素を表示するステップを備える技術的課題発見及び課題解決支援方法を提供することである。【００２０】  この発明の第７の特徴は、知られている装置又は技術の構成について複数回の上位概念化を行って得た発明概念構成に基づいて発想された上記装置又は技術の技術分野とは異なる分野の技術アイデアを表示するステップと、発明概念構成に基づいて技術アイデアを具体化して得られる発明の必須構成要素を表示するステップを備える技術的課題発見及び課題解決支援方法を提供することである。【００２１】  この発明の第８の特徴は、関連知識を入力表示するステップと、表示された関連知識に基づいて技術アイデアを発想し表示するステップと、表示された関連知識に基づいて技術アイデアの必須構成要素を定めるステップを備える技術的課題発見及び課題解決支援方法を提供することである。
【発明の効果】
【００２２】  この発明によれば、一特許公報を活用して系統的に概念的技術アイデアや発明を発想し、概念的技術アイデア等を具体化し装置等の開発や商品化を可能とする。長年に渡って多くの特許公報が蓄積されているので、この発明を使用することにより更に多くの技術アイデアや発明の発想が期待できる。
【図面の簡単な説明】
【００２３】
【図１】この発明の特許公報活用技術的課題発見及び課題解決支援方法及びシステムの仕組みを表すブロック図を示す。
【図２】図１に含まれる発明空間ユニット１を構成する発明空間の構成を示す。
【図３】図２の発明空間において使用される特許の上位概念化シートを示す。
【図４】本発明の実施例である技術的課題発見及び課題解決支援システムの構成図を示す。
【図５】図４に示される本発明の実施例の操作手順を示す。
【図６】第１発明知識空間で発想されたアイデアと特許公報読解後に発想されたアイデアについての評価比較を示す。
【図７】発明知識空間を使用したアイデア評価方法を説明するための図である。
【発明を実施するための形態】
【００２４】  図１は、この発明の仕組みを表すブロック図を示す。図１において、発明空間ユニット１は、図２に示すように構成される。図２の第１の発明知識空間部において、特許公報に記載されている例えば装置に関する一発明実施例の構成（ｋ１）について装置原型の構成まで複数回特許上位概念化を行ってそれぞれ発明概念構成（Ｋ１、Ｋ２、Ｋ３、Ｋ４、・・・Ｋｎ）を得る。概念構成（Ｋｎ）は装置原型の構成を表す。更に、第２の発明知識空間部において、装置原型の構成（Ｋｎ）について１回以上の特許の上位概念化を行って発明概念構成（Ｋｎ＋１、・・・Ｋｎ＋ｍ）を得る。第１図及び第２図においては、発明概念構成（Ｋｎ＋１）の場合を図示する。（ｎ＋１）回の上位概念化を行った後、コンセプト発明発想空間部において概念的技術アイデアやコンセプト発明を創出する。この概念的技術アイデア又はコンセプト発明を目標発明部２へ送出し、目標発明として設定する。なお、図２においては、発明発想空間部と第２発明知識空間部とを重ねて表示している。
【００２５】  他方、発明空間ユニット１から概念技術構成部３へ発明実施例の構成（ｋ１）、発明概念構成（Ｋ１、Ｋ２、Ｋ３、Ｋ４、・・・Ｋｎ）及び発明概念構成（Ｋｎ＋１）が送出され記憶される。目標発明必須要素構成部４は、目標発明部２から送出される概念的技術アイデア又はコンセプト発明と概念技術構成部３から送出される発明実施例の構成及び発明概念構成を受信する。目標発明必須要素構成部４は、発明実施例の構成及び発明概念構成に基づいて目標発明の必須要素を構成する。この目標発明の必須要素の構成は実施例部５へ送出される。実施例部５は、目標発明部２から受信した概念的技術アイデア又はコンセプト発明を具体化し実用化するため、受信した目標発明必須要素の構成を具体化し発明実施例の構成を得る。なお、実施例部５は目標発明部２からコンセプト発明を受信することなく発明実施例の構成を得ることも可能である。
【００２６】  図２において、発明空間ユニット１は、第１発明知識空間部、第２発明知識空間部、発明発想空間部及びコンセプト発明発想空間部で構成される。発明空間ユニット１の上位概念化軸の左端に配置される円ｋ１は、特許公報に記載されている発明実施例の構成を表している。発明実施例の構成ｋ１は、構成要素ａ、ｂ、ｃ、ｄ、ｅ及びｆの組合せで構成される。この発明実施例の構成ｋ１について特許の上位概念化を行って発明概念構成Ｋ１を得る。この構成Ｋ１は、構成要素Ａ、Ｂ、Ｃ、Ｄ及びＥの組合せで構成される。構成要素Ａ、Ｂ、Ｃ、Ｄ及びＥは、構成要素ａ、ｂ、ｃ、ｄ及びｅをそれぞれ上位概念化したものである。構成Ｋ１について特許の上位概念化を行って発明概念構成Ｋ２を得る。この構成Ｋ２は、構成要素Ａ、Ｂ、Ｃ及びＤの組合せで構成される。同様に、発明概念の構成について特許の上位概念化を順次行って発明概念構成Ｋ３、Ｋ４、・・・Ｋｎをそれぞれ得る。上位概念化軸に発明実施例の構成ｋ１並びに発明概念構成Ｋ１、Ｋ２及びＫｎを順次配置する。発明実施例の構成ｋ１及び発明概念構成Ｋｎに基づいて仮想の円筒形状の第１発明知識空間部を形成する。複数回の特許の上位概念化を行ないこの発明知識空間の形成を通して関連知識の習得や整理を行う。その後、発明発想空間部において得た関連知識とユーザが保有している知識とを組合せて技術アイデアや発明（ＮＩ）を発想する。発明発想空間部において発想された技術アイデアや発明は、特許公報に記載されている発明実施例の装置に関するものが殆どである。
【００２７】  発明概念構成Ｋｎについて１回以上の特許の上位概念化を行って発明概念構成Ｋｎ＋１、・・・Ｋｎ＋ｍを得る。図２においては、発明概念構成Ｋｎ＋１を得た場合を図示している。発明概念構成Ｋｎ及び発明概念構成Ｋｎ＋１に基づいて仮想の円筒形状の第２発明知識空間部を形成する。コンセプト発明発想空間部において、第２発明知識空間の形成を通して習得、整理して得た知識とユーザが予め保有している知識とを組合せて概念的技術アイデアや発明を発想する。コンセプト発明発想空間部において発想された技術アイデアや発明は、特許公報に記載されている発明実施例の装置の技術分野とは異なる分野の技術に関するものが殆どである。
【００２８】  図３は、特許の上位概念化シートを示す。この特許上位概念化シートは、図２に示す発明空間の第１発明知識空間部と第２発明知識空間部とを形成するための特許上位概念化を行う際に使用する。
【００２９】  特開２００８−２１０３４２号公報を用いて特許上位概念化及び特許上位概念化シートの入力表示例を示す。この特許出願の発明の名称は、自動販売機である。この自動販売機は消音装置を備えている。特許の上位概念化シートの左端の「発明実施例の構成ｋ１」には、例えば、次の構成要素を記載する。
・自動販売機
・商品収納部
・冷却装置
・送風機
・排気口
・吸気口
・マイク
・信号移相器
・スピーカ
【００３０】特許の上位概念化シートの左端右隣の「請求項の発明構成Ｋ１」には請求項１の発明の構成を次のように記載する。
・筐体内に商品が収容される自動販売機
・筐体内で生成された駆動音が入力されるマイク
・マイクからの入力信号を移相し音信号を生成する音信号生成手段
・生成された音信号に基づく音を出力するスピーカ
【００３１】特許の上位概念化シートの「２上位概念化Ｋ２」コラムには次の構成要素を記載する。
・音信号入力装置
・信号生成手段
・音信号出力装置
・販売機
【００３２】特許の上位概念化シートの「３上位概念化Ｋ３」コラムには次の構成要素を記載する。
・信号入力装置
・信号処理部
・信号出力装置
【００３３】特許の上位概念化シートの「ｎ上位概念化Ｋｎ」コラムには次の構成要素を記載する。
・複数種類の商品を収納する収納部
・選択された商品を提供する手段
・自動販売機
【００３４】特許の上位概念化シートの右端の「（ｎ＋１）上位概念化Ｋｎ＋１」には次の構成要素を記載する。
・複数種類の商品、
・商品を選択する手段、
・選択された商品（その場で作るものも含む）を提供する手段、
・装置．
【００３５】特許の上位概念化ｎまで行った後、発明発想空間部で発想された技術アイデア例を次に示す。
・さらに消音部材を使用することにより、より消音効果を増す
・コンプレッサを使用した冷却ではなく、ペルチェ素子などを用いて駆音を出さ        ないように目的を達する
【００３６】「特許の上位概念化ｎ＋１」まで行った後、コンセプト発明発想空間部で発想された技術アイデア例を次に示す。
・企業が、グルーバルに求めに応じて顧客や協力企業に商品に関する知識ナビ付        情報を提供するネットワークシステム．
【００３７】  発明空間ユニット１は、この発想された技術アイデアを目標発明部２へ供給する。目標発明部２は、この技術アイデアを記憶し保持すると共に目標発明必須要素構成部４及び実施例部５へ供給する。また、発明空間ユニット１は、発明実施例の構成ｋ１及び複数の特許上位概念化によってそれぞれ得られた発明概念構成Ｋ１、・・・Ｋｎ、Ｋｎ＋１を例えば図３に示す特許の上位概念化シートに入力表示しそのシートを概念技術構成部３へ送出する。概念技術構成部３は、この特許の上位概念化シートに含まれている情報、データを記憶保持すると共に目標発明必須要素構成部４へ供給する。目標発明必須要素構成部４は、特許上位概念化シートに含まれる発明実施例の構成及び複数の発明概念構成に基づいて、目標発明部２に設定される概念的技術アイデア又は発明を具体化しその必須構成要素を定める。この技術アイデアの必須要素を例えば次のように定めて発明を得る。
【００３８】        ・商品に関する知識ナビ付情報生成手段と、
・生成された商品に関する知識ナビ付情報を保管し要求信号に応じて必要な情報        を提供するサーバと、
・要求信号をサーバへ送信し、サーバから必要な情報を受信するクライアント端        末機と、
・クライアント端末機とサーバとを接続するネットワークと、
・を具備することを特徴とするグローバルネットワークシステム。
なお、このネットワークシステムは、この発明を説明するための一例であるので、このシステムに関する新規性及び進歩性の特許要件についての検討は行っていない。
【００３９】  特許公報に記載される発明の実施例の構成及びいくつかの得られた発明概念構成とネットワークシステムとは、提供商品を用意し、ユーザの要求に応じて該当商品を見出しユーザに提供するという主要な点で共通している。従って、概念技術構成部３から供給される発明実施例等の情報はネットワークシステムの設計を容易にする。実施例部５は、目標発明部２から供給される技術アイデア又は概念的発明を実用化するため、目標発明必須要素構成部４から供給される発明の構成をより具体化する。
【００４０】  図４は、本発明の実施例である技術的課題発見及び課題解決支援システムの構成図を示す。図４において、技術的課題発見及び課題解決支援システムはコンピュータで構成される。コンピュータの中央処理装置（ＣＰＵ）１１は、入力装置１２、記憶器１３及び表示器１４に接続される。このコンピュータの構成は知られている。
【００４１】  コンピュータは、図１に示す特許公報活用技術的課題発見及び課題解決支援方法の発明の仕組みに表されるプロセスに従って自動的に動作する。また、一部のプロセスに関係する発明空間１と目標発明必須要素構成部４と実施例部５に関するステップにおいては、発明実施例の構成要素、発明概念構成の要素及び実施例の技術構成要素は入力装置１２から必要に応じて入力される。例えば、図１に示す各ステップは所定時間間隔で自動的に動作するように構成される。
【００４２】  入力装置１２は、特許公報を活用して技術的課題発見及び課題解決を行って発明することを支援するための制御信号や各種データや情報等をＣＰＵ１１、記憶器１３又は表示器１４へ供給する。ＣＰＵ１１は制御信号に応じて、情報やデータの入力又は出力制御、文書や図や表の作成、編集を行う。また、外部からコンピュータに入力され又はＣＰＵ１１によって作成又は編集された文や図や表等を記憶器１３に記憶させ、記憶器から読み出し表示器１４へ供給して表示させる。
【００４３】  記憶器１３は、操作手順を示す図５を予め記憶しておき、ＣＰＵ１１の指令に応じて、この操作手順を表示器１４へ供給し可視化表示させる。また、記憶器１３は発明空間の構成を示す図２を予め記憶しておき、ＣＰＵ１１の指令に応じて、この発明空間を表示器１４へ供給し可視化表示させる。記憶器１３は、図３に示す特許の上位概念化シートを予め記憶しておき、ＣＰＵ１１の指令に応じて、特許の上位概念化シートを表示器１４へ供給し可視化表示させる。
【００４４】  ユーザは、入力装置１２を操作して、図５の操作手順を記憶器１３から読み出して表示器１４の上方部に表示させて必要な作業を進めることができる。この場合には、表示器１４の下方部左側に図２に示す発明空間を表示させ、その下方部右側に図３に示す特許の上位概念化シートを表示させる。最初に、図５の発明空間に関するブロック６が高輝度にて表示される。この表示状態で発明実施例構成や特許の上位概念化を複数回行なって得た複数の発明概念の構成ｋ１、Ｋ１〜Ｋｎ、Ｋｎ＋１を入力装置１２から入力し表示器１４に表示する。そして、概念的技術アイデア又は発明を発想し入力装置１２を操作して入力する。この時、図５の発明空間に関するブロック６は、通常の輝度にて表示されると共に、目標発明設定７のブロックが高輝度表示される。
【００４５】  この表示状態で、目標発明部２に入力された概念的技術アイデア等が設定された時、目標発明設定７のブロックが通常の輝度にて表示されると共に目標発明の必須要素構成のブロック８が高輝度表示に変わる。同様に、発明の実施例を考案する時は、ブロック８が通常の輝度にて表示され、発明実施例の考案に関するブロック９が高輝度表示に変わる。
【００４６】  入力装置１２を操作して、図２の発明空間を表示させて時系列の作業手順を確認した後、図３に示す特許の上位概念化シートを表示させて、発明実施例の構成要素を入力して表示させる。次いで、この発明実施例の構成について順次上位概念化を行って、構成要素を所定のコラムに順次入力し表示させる。この作業を行った結果、発明実施例構成や複数の発明概念の構成ｋ１、Ｋ１〜Ｋｎ、Ｋｎ＋１が得られる。その後、発想した概念的技術アイデア又は発明を入力し、表示器１３に表示させる。
【００４７】  ＣＰＵ１１は、コンピュータ内に記憶されているプログラムに従って自動的に動作し、又は入力装置１２から受信する制御データに応答して動作する。ＣＰＵ１１は、入力装置１２又は記憶器１３から受信した信号から表示用信号を生成し表示器１４へ供給する。
【００４８】  なお、上記の発明の実施例においては、特許公報に含まれる発明実施例の構成を起点として複数の特許の上位概念化を行って発明空間を形成し技術的課題発見及び課題解決したが、これに限定されるものではなく、市販又は使用されている商品又は装置を特許公報に含まれる発明実施例の構成として使用することも可能である。
【図１】
2016018551.tif 000003
【図２】
2016018551.tif 000004
【図３】
2016018551.tif 000005
【図４】
2016018551.tif 000006
【図５】
2016018551.tif 000007
【図６】
2016018551.tif 000008
【図７】
2016018551.tif 000009